(57)【要約】【課題】  新生児の養育などの記事を手帳タイプにまとめ、同時に産声などの音や図形あるいは写真をその手帳に前記の記事などと同様の体裁で記録できる育児手帳の提供。【解決手段】  バインダー２のリングフック爪８に記事リーフ３とイメージリーフ４を着脱可能に綴じる。記事リーフ３は、産院へ入院のための案内と指示、産後の過ごし方などを印刷したリーフであり、イメージリーフ４は、新生児の手形や写真を添付できると共に産声などを録音・再生することができる。【選択図】          図１
2006272704.tif 000002
【特許請求の範囲】
【請求項１】
開閉可能なフック爪を備えたバインダーとこのバインダーに着脱可能に綴じた記事リーフおよび図形や写真を添付でき、且つ、録音と再生機能を備えたイメージリーフとからなることを特徴とした育児手帳。
【請求項２】
記事リーフは記事内容のテーマ毎にまとめられて幅寸法を異ならせてあることを特徴とした請求項１に記載の育児手帳。
【請求項３】
記事リーフのテーマは少なくとも、入院のための案内と指示、産後の過ごし方、ワークシートであることを特徴とした請求項２に記載の育児手帳。
【請求項４】
イメージリーフには新生児の手形、足形あるいは新生児の写真が添付されていると共に、録音部にその産声が記録されていることを特徴とした請求項１〜３のいずれか一つに記載の育児手帳。
【発明の詳細な説明】
【技術分野】
【０００１】
この発明は、妊婦、出産、新生児養育の事項をまとめた育児手帳に関する。
【背景技術】
【０００２】
産院から、提供される従来の育児手帳は、妊婦のケアや入院手続き、産後の手当て、新生児の養育などについて、一冊の小冊子にまとめられ、事務的に記載されているだけで、新生児の産声や写真は、別に録音したりアルバムに記録することが多い。
単なるアルバムでは、音声を記録し、再生できる機能を設けたものは多い。たとえば、特許文献１のものでは、産声を記録し、再生できる産声発生ユニット（５０）をアルバム（１）の表又は裏の表紙に取り付けている。特許文献２のものも同様である。特許文献３や特許文献４のものはアルバム台紙に音声モジュールを取り付けて、録音再生を可能としている。
【０００３】
【特許文献１】登録実用新案第３０５９３０４号公報
【特許文献２】実開平１−９９６６０号公報
【特許文献３】実開平６−２３７７０号公報
【特許文献４】実開平６−３９４５８号公報
【発明の開示】
【発明が解決しようとする課題】
【０００４】
育児手帳は、新生児と母親の記録であり、非常に愛着の深いものとなる。このような手帳に妊婦のケアや入院の手続きなど事務的な内容の他に産声や出生時の手形，足形あるいは顔写真などを合わせて記録することは、新生児の人生スタートをイメージとして生々しく記録する点で意義がある。特に産声は、育児手帳の趣旨から象徴的であり、しかも産院でしか録音することができない。また、産声や出生時の手形，足形あるいは顔写真などは、母親本人ばかりでなく、周囲の人間にも興味深い。
従来、アルバムに録音・再生機能を付加したものがあるが、アルバムはある出来事の１シーンをカットして綴ったもので、そのカットの背後との関連が薄い。
【０００５】
そこで、この発明は、妊婦のケアや入院手続き、産後の手当て、新生児の養育などの記事を手帳タイプにまとめ、同時に産声などの音や図形あるいは写真をその手帳に前記の記事などと同様の体裁で記録し、音については再生可能な育児手帳の提供を課題とする。
【課題を解決するための手段】
【０００６】
リングフックなどを備えたバインダーに記事事項を印刷した記事リーフと、音や図形、写真などを記録したイメージリーフを着脱自在に綴る。記事リーフとイメージリーフは略同じ厚さ、大きさでリーフとして同様に扱えるようにする。イメージリーフはリーグ単独で録音と再生が可能なものとする。
【発明の効果】
【０００７】
産声を録音、再生できるリーフが綴られているので、産声を繰りかえし聞くことができ、育児手帳が愛着の深いものとなる。また、録音、再生できるリーフは、通常のリーフと変わりがないので、新生児の成長に合せて順次綴じていくことができる。一方、録音再生できるリーフに写真や図を添付（貼りつけ、印刷、書き込みなどによる）できるので、これらの総合作用により新生児の成長を興味深く印象付けることができる。
イメージリーフに記録された音と写真、例えば産声と手形などは、育児手帳の記録記事と深くつながり、記録の一部となる。
さらに、イメージリーフを親しい人に送り、もらった側でバインダーに綴じて保存し、アルバムの一部としてもらうことができる。
【発明を実施するための最良の形態】
【０００８】
リングフックを備えたバインダーと記事事項を印刷した記事リーフ、及び録音、再生機能を備えたイメージリーフとで構成する。記事リーフは複数枚となるリーフをテーマごとにまとめ、テーマごとに区別しやすいようにし、これにイメージリーフを加える。イメージリーフも複数枚となるが、少なくとも、新生児の産声を録音してあって随時に再生できるものを加えておく。
【実施例】
【０００９】
図１,２は育児手帳１の全体を示しており、バインダー２と記事リーフ３及びイメージリーフ４からなる。バインダー２は、表紙５と裏表紙６およびこれらをつなぐ背部７を備え、裏表紙６の内面で背部７寄りにリングフック８が取付けられている。リングフック８は、バネの付勢で閉じており、必要時に上端部を左右に開くことができる。符号９はメモ挟み部で薄い樹脂フィルムで形成してある。符号１０は筆記具の納め部であり、表紙５と背部７との境界付近の内側に形成してある。
【００１０】
記事リーフ３（図３）はテーマごと、たとえば、「ママになる」３ａ、「快適にご入院いただくために」３ｂ、「ショップ・レストラン」３ｃ、「産後の過ごし方」３ｄ、「ワークシート」３ｅのようにまとめられており、且つ、索引しやすいようにリーフの幅寸法をテーマごとに異ならせてある。そして、幅寸法が異なることにより、上面から見て順次露出する部分に前記のテーマとなる文言を印刷してある。なお、ワークシート３ｅは出産後の妊婦と新生児の健康状態をチェックするための指導と状態を記録する部分である。
各リーフには左辺部に前記のリングフック８に適合するパンチ孔１１を上下２個形成してある。
【００１１】
イメージリーフ４（図４）は、市販のオーディオペーパー（商品名、トッパンフォームズ（株））の左辺にパンチ孔１１を形成してバインダー２で利用できるリーフに形成してある。なお、オーディオペーパーは、図４のように、両面の薄い紙間に極薄のフィルム状回路１２と同様な面スピーカー１３及びスイッチ部１４を配置されている。回路部１２は、音声を記録するメモリー部と、スイッチ部１４の信号に基づいて作動する録音再生回路とアンプ及び電池を備えている。この実施例で採用した市販のオーディオペーパーは、スイッチ部１４の録音マーク（丸）を押しながら録音し、再生マーク（矢印）を押して再生することができる。録音済みのものの録音マークを押すと、録音内容は消去され、新たに録音を開始することになる。録音の消去を防止するためには、側方に張出した突部１７を切り取る仕様となっている。
【００１２】
全体の厚さはわずか０．７５ｍｍ程度でバインダー用のリーフとして充分に用いることができる。また、オーディオペーパーには写真の貼り付けや図の記入、インクジェットプリンターによる印刷が可能である。
この実施例において、上辺部を記事部１５とし、残る下辺部をイメージ添付部１６としてある。イメージリーフ４は複数枚を図示してあるが、その中の一枚には産声を録音してその旨を誕生日と共に記事部１５に記載し、イメージ添付部１６に当日の手形を付けてある。イメージリーフ４に記録すると良いものは、出産前の胎内のエコー写真や心音、時機に応じた泣き声やその顔、足形や命名の読み上げなどである。
【００１３】
以上、実施例について説明した。バインダーやリーフの形状は略正方形に近いものが好ましいが、他の形態であっても良い。リングフックは一例であって、バインダーとして記事リーフやイメージリーフを着脱可能とできるものであればよい。
イメージリーフ４として市販のオーディオペーパーを利用しているが、リーフとして使用できる程度に薄く、リーフごとに録音・再生が可能で、かつ、イメージの添付（貼りつけ、印刷、書き込み）が可能なものであれば、利用することができる。
【図面の簡単な説明】
【００１４】
【図１】斜視図。
【図２】正面図。
【図３】各リーフの斜視図。
【図４】イメージリーフの素材を示す平面図。
【図５】イメージリーフの平面図。
【符号の説明】
【００１５】
１  育児手帳
２  バインダー
３  記事リーフ
４  イメージリーフ
５  表紙
６  裏表紙
７  背部
８  リングフック
９  メモ挟み部
１０  筆記具の納め部
１１  パンチ孔
１２  フィルム状回路
１３  面スピーカー
１４  スイッチ部
１５  記事部
１６  イメージ添付部
１７  突部
【図１】
2006272704.tif 000003
【図２】
2006272704.tif 000004
【図３】
2006272704.tif 000005
【図４】
2006272704.tif 000006
【図５】
2006272704.tif 000007